(57)【特許請求の範囲】
【請求項１】
最上層に配置される表面平滑な樹脂化粧シートと、該樹脂化粧シートの下側に配置される木質基材と、該木質基材の下側に配置される樹脂マットとが積層されてなる可撓性の床材の四周端面に、該床材を厚み方向に３等分した中央部に雄実及び雌実を有する本実加工が施され、
上記木質基材は、比重が０．４以上でかつ１．０以下であるとともに厚みが２．０ｍｍ以上でかつ３．０ｍｍ以下である可撓性を有する木質繊維板で構成され、
上記樹脂マットは、無機フィラーが、塩化ビニル系樹脂１００重量部に対して１００重量部以上でかつ１０００重量部以下の割合で添加されてなり、その比重が１．４以上でかつ２．０以下であるとともに厚みが上記木質繊維板の厚みと同じとなるように形成され、
上記雄実の上部は、上面が俯角１５度以上でかつ３０度以下である傾斜面に形成された上記木質基材で構成される一方、雄実の下部は、下面が上記上面の俯角よりも１０度以上小さい角度の仰角である傾斜面に形成された上記樹脂マットで構成され、
上記複数枚の床材が、該床材の層間剥離強度よりも弱い接着剥離強度の施工用接着剤により、互いに隣り合うように連続してかつ該隣り合う床材の表面が互いに面一となるように一方の床材の雌実に他方の床材の雄実が嵌合されて床下地に貼着されていることを特徴とする床材の施工構造。
【請求項２】
請求項１の床材の施工構造において、
上記施工用接着剤は弾性接着剤であることを特徴とする床材の施工構造。
【請求項３】
請求項１の床材の施工構造において、
上記木質基材を構成する木質繊維板は乾式成形により形成され、
上記雄実の基部上側の木質基材には、該雄実の突出方向と反対側に向かって凹陥するように切り欠きが下面を雄実の上面に連続させるように形成されていることを特徴とする床材の施工構造。
【請求項４】
請求項１から３のいずれか１つの床材の施工構造における複数枚の床材のうちの任意の床材を除去する除去方法であって、
上記任意の床材の表面に床材除去具の吸盤を吸着させた状態で、該任意の床材に隣り合う床材を押さえながら床材除去具を引っ張ることで、上記任意の床材を撓ませつつ、上記施工用接着剤を破壊させて床下地から剥ぎ取ることを特徴とする床材の除去方法。
【請求項５】
請求項３の床材の施工構造における複数枚の床材のうちの任意の床材を除去する除去方法であって、
上記任意の床材の表面に床材除去具の吸盤を吸着させた状態で、該任意の床材に隣り合う床材を押さえながら床材除去具を引っ張ることで、上記任意の床材を撓ませかつ該床材の切り欠きから木質基材を上下に部分的に分割させつつ、上記施工用接着剤を破壊させて床下地から剥ぎ取ることを特徴とする床材の除去方法。
【請求項６】
請求項１から３のいずれか１つの床材の施工構造における複数枚の床材のうちの任意の床材を更新する更新方法であって、
上記任意の床材の表面に床材除去具の吸盤を吸着させた状態で、該任意の床材に隣り合う床材を押さえながら床材除去具を引っ張ることで、上記任意の床材を撓ませつつ、上記施工用接着剤を破壊させて床下地から剥ぎ取り、
上記任意の床材が除去された露出床下地から施工用接着剤を除去して、該露出床下地に新たな施工用接着剤を塗布した後、
上記露出床下地に新たな更新用床材を上から押圧して貼着することを特徴とする床材の更新方法。
【請求項７】
請求項１又は３の床材の施工構造における複数枚の床材のうちの任意の床材を更新する更新方法であって、
上記任意の床材の表面に床材除去具の吸盤を吸着させた状態で、該任意の床材に隣り合う床材を押さえながら床材除去具を引っ張ることで、上記任意の床材を撓ませつつ、上記施工用接着剤を破壊させて床下地から剥ぎ取り、
上記任意の床材が除去された露出床下地から施工用接着剤を除去して、該露出床下地に新たな施工用接着剤を塗布した後、
新たな更新用床材の雌実の下側部分を除去し、該更新用床材の雄実を露出床下地に隣り合う床材の雌実と嵌合させながら該更新用床材を上から押圧して床下地に貼着することを特徴とする床材の更新方法。
【発明の詳細な説明】
【技術分野】
【０００１】
本発明は、床材の施工構造、この床材の除去方法及び更新方法に関するものである。
【背景技術】
【０００２】
近年、木質資源の枯渇の問題から、合板に替わる材料として、中比重木質繊維板（ＭＤＦ）、高比重木質繊維板（ＨＤＦ）等を壁材や収納ボックス等の面材、床材等に用いることが提案されている。その中で、特に床材については、水に濡れたり、物を載置したりするため、耐水性や耐荷重性等の様々な性能が要求される。
【０００３】
そして、特許文献１から３に示すように、木質資源の省資源のため床材の薄物化が進んでいることや、気密性や耐震性の観点から合板捨て貼り工法が主流となってきていることからも、３．０ｍｍ〜６．０ｍｍの薄い厚さの床材も提案されている。
【０００４】
一方、床材を張り替えて更新することを考慮し、特許文献４に示すような特殊な実形状を利用した置敷施工にしたり、特許文献５に示すように、縦方向の分断線を設けた床材を用いたりすることが提案されている。
【０００５】
さらに、特許文献６では、再剥離可能な施工用接着剤を用いることで床材の更新に配慮した工法が開示されている。この施工用接着剤にはイソシアネート化合物に中空フィラーが充填されており、施工時のずらし作業性を維持しつつ、更新時に床材を破壊することのないように、施工用接着剤を除去しようとしている。
【特許文献１】特開平９−７２０７５号公報
【特許文献２】特開２００３−３００２０３号公報
【特許文献３】特開２００５−１１３５７０号公報
【特許文献４】特開平８−２７０１９３号公報
【特許文献５】実開平５−３０３３５号公報
【特許文献６】特開２００４−３０７８８号公報
【発明の開示】
【発明が解決しようとする課題】
【０００６】
ところで、床材の貼着には、接着剤の他に、ビールアップボンドといわれる粘着材や両面テープによる施工も知られているが、これらを用いると、乾湿の影響等による床材の伸縮や反りの影響で目隙や段差が生じてしまうという問題がある。
【０００７】
また、上記特許文献６のような施工用接着剤は、従来の高強度の接着剤に比べると接着強さは低いが、マンション等で使用するような厚み６ｍｍ程度の薄い床材を除去するときには、その一部を剥がし、床材と床下地との間に「皮スキ」のような薄い金属へらを差し込んで衝撃を与え、界面破壊を起こさせることで床材を除去する必要があり、床材の除去が容易であるとは言い難い。そこで、中空フィラーの含有量を上げて接着強さをこれより低くすると、床材に連続的に作用する荷重により、接着剤が破壊してしまう。
【０００８】
本発明の目的とするところは、更新する床材を容易に除去することができるようにすることにある。
【課題を解決するための手段】
【０００９】
具体的には、第１の発明に係る床材の施工構造は、最上層に配置される表面平滑な樹脂化粧シートと、該樹脂化粧シートの下側に配置される木質基材と、該木質基材の下側に配置される樹脂マットとが積層されてなる可撓性の床材の四周端面に、該床材を厚み方向に３等分した中央部に雄実及び雌実を有する本実加工が施されている。
【００１０】
また、上記木質基材は、比重が０．４以上でかつ１．０以下であるとともに厚みが２．０ｍｍ以上でかつ３．０ｍｍ以下である可撓性を有する木質繊維板で構成され、上記樹脂マットは、無機フィラーが、塩化ビニル系樹脂１００重量部に対して１００重量部以上でかつ１０００重量部以下の割合で添加されてなり、その比重が１．４以上でかつ２．０以下であるとともに厚みが上記木質繊維板の厚みと同じとなるように形成されている。
【００１１】
そして、上記雄実の上部は、上面が俯角１５度以上でかつ３０度以下である傾斜面に形成された上記木質基材で構成される一方、雄実の下部は、下面が上記上面の俯角よりも１０度以上小さい角度の仰角である傾斜面に形成された上記樹脂マットで構成されており、これら複数枚の床材が、該床材の層間剥離強度よりも弱い接着剥離強度の施工用接着剤により、互いに隣り合うように連続してかつ該隣り合う床材の表面が互いに面一となるように一方の床材の雌実に他方の床材の雄実が嵌合されて床下地に貼着されている。
【００１２】
上記の構成によると、床材を更新するために除去する際、床材を層間剥離させずに、撓ませながら床下地から施工用接着剤を破壊する。この床材を除去した床下地に新たな施工用接着剤を塗布し、新たな床材を床下地に直接貼着して更新する。
【００１３】
そして、床材が可撓性を有し、床材の厚みが薄いので、床材の除去時に床材が撓んで本実加工の嵌合が外れる。
【００１４】
また、床材は、樹脂化粧シート、木質基材及び樹脂マットが順に積層されて構成されていて、その樹脂マットにより木質基材の裏面から防湿性が担保され、基材として木質基材を使用した場合でも、湿気の影響による床材の変形が抑えられる。
【００１５】
また、同じ厚みの木質繊維板と樹脂マットとを合わせたものを厚み方向に３等分した真ん中部分に本実加工が施され、その雄実の上面の俯角が下面の仰角よりも小さいので、雄実における樹脂マットの割合が木質繊維板よりも多く、施工時の嵌合のために必要な雄実の強度と、床材除去時に雌実を破壊せずに嵌合を外すことができる程度の雄実及び雌実の硬さとが確保される。
【００１６】
また、樹脂マットが木質繊維板と同じ厚みでかつ比重が１．４〜２．０であるので、なじみ性のよい床材となる。これとともに、塩化ビニル系樹脂１０００重量部に対する無機フィラーの割合を１００重量部以上にすることにより樹脂マットの成形後の寸法変化が小さくなり、１０００重量部以下にすることにより樹脂マットの成形が容易となる。
【００１７】
第２の発明に係る床材の施工構造は、第１の発明に係る床材の施工構造において、上記施工用接着剤は弾性接着剤である。
【００１８】
上記の構成によると、床材は、上に人が乗って荷重が作用するたびに変形し、この荷重は、長期にわたって連続的に作用する。一般的な接着剤は、脆く硬い性質の硬化物となり、連続的な床材の変形により壊れやすく、壊れにくくするために強度を高くするには接着剥離強度を強める必要がある。一方、施工用接着剤を弾性接着剤とすると、接着剥離強度を弱くしても脆く硬い性質の硬化物とならず、連続的な床材の変形により壊れてしまわない。また、床材を除去する際に、床材と床下地との間に衝撃力を加えなくても床材を撓ませながら引っ張ることで施工用接着剤が破壊する。
【００１９】
第３の発明に係る床材の施工構造は、第１の発明に係る床材の施工構造において、上記木質基材を構成する木質繊維板は乾式成形により形成され、上記雄実の基部上側の木質基材には、該雄実の突出方向と反対側に向かって凹陥するように切り欠きが下面を雄実の上面に連続させるように形成されている。
【００２０】
上記の構成によると、床材を除去する際に、床材を撓ませるように引っ張ると、雄実の切り欠きから木質繊維板が上下に分割されてより大きく床材が変形し、本実加工の嵌合が外れる。また、木質繊維板が乾式成形により成形されているため上下方向に分割しやすい。
【００２１】
第４の発明に係る床材の除去方法は、第１から第３のいずれか１つの発明に係る床材の施工構造における複数枚の床材のうちの任意の床材を除去する除去方法であって、上記任意の床材の表面に床材除去具の吸盤を吸着させた状態で、該任意の床材に隣り合う床材を押さえながら該床材除去具を引っ張ることで、上記任意の床材を撓ませつつ、上記施工用接着剤を破壊させて床下地から剥ぎ取る。
【００２２】
上記の構成によると、床材を更新するために除去する際、床材の表面の表面平滑な樹脂化粧シートに床材除去具の吸盤を吸着させて床材除去具を引っ張ると、床材が層間剥離せずに撓みながら、施工用接着剤が破壊して床材が床下地から剥離する。
【００２３】
第５の発明に係る床材の更新方法は、第３の発明に係る床材の施工構造における複数枚の床材のうちの任意の床材を除去する除去方法であって、上記任意の床材の表面に床材除去具の吸盤を吸着させた状態で、該任意の床材に隣り合う床材を押さえながら該床材除去具を引っ張ることで、上記任意の床材を撓ませかつ該床材の切り欠きから木質基材を上下に部分的に分割させつつ、上記施工用接着剤を破壊させて床下地から剥ぎ取る。
【００２４】
上記の構成によると、床材を更新するために除去する際、床材除去具により床材を引っ張ると、雄実の基部上部の切り欠きから木質繊維板が上下に分割されて床材が大きく変形し、かつ木質繊維板が乾式成形により成形されているため分割しやすく、本実加工の嵌合が外れやすくなる。
【００２５】
第６の発明に係る床材の更新方法は、第１から第３のいずれか１つの発明に係る床材の施工構造における複数枚の床材のうちの任意の床材を更新する更新方法であって、上記任意の床材の表面に床材除去具の吸盤を吸着させた状態で、該任意の床材に隣り合う床材を押さえながら床材除去具を引っ張ることで、上記任意の床材を撓ませつつ、上記施工用接着剤を破壊させて床下地から剥ぎ取り、上記任意の床材が除去された露出床下地から施工用接着剤を除去して、該露出床下地に新たな施工用接着剤を塗布した後、上記露出床下地に新たな更新用床材を上から押圧して貼着する。
【００２６】
上記の構成によると、床材除去具により任意の床材を除去した後、同じ形状の新しい更新用床材を貼着することで、任意の床材を更新する。
【００２７】
第７の発明に係る床材の更新方法は、第１又は第３の発明に係る床材の施工構造における複数枚の床材のうちの任意の床材を更新する更新方法であって、上記任意の床材の表面に床材除去具の吸盤を吸着させた状態で、該任意の床材に隣り合う床材を押さえながら床材除去具を引っ張ることで、上記任意の床材を撓ませつつ、上記施工用接着剤を破壊させて床下地から剥ぎ取り、上記任意の床材が除去された露出床下地から施工用接着剤を除去して、該露出床下地に新たな施工用接着剤を塗布した後、新たな更新用床材の雌実の下側部分を除去し、該更新用床材の雄実を露出床下地に隣り合う床材の雌実と嵌合させながら該更新用床材を上から押圧して床下地に貼着する。
【００２８】
上記の構成によると、新たな更新用床材を床下地に貼着するとき、雌実の下側部分を除去しているので、更新用床材の雄実を隣り合う床材の雌実と嵌合させて更新用床材を上から押圧すると、隣り合う床材の雄実の上から更新用床材の雌実の上側部分が当接して床材が床下地に貼着される。
【発明の効果】
【００２９】
上記第１の発明によれば、床材を樹脂化粧シート、木質基材及び樹脂マットを順に積層して構成し、床材の端面に本実加工を施し、施工用接着剤の接着剥離強度を床材の層間剥離強度よりも弱くしているので、床材を更新するために除去する際、床材が層間剥離せずに、施工用接着剤が破壊するので容易に床下地から床材を除去することができる。
【００３０】
そして、この床材を除去した床下地に新たな床材を直接貼着して更新するので、繰り返し更新しても何度でも容易に床材を除去することができる。
【００３１】
また、床材が可撓性を有しかつ床材の厚みが薄いので、床材が撓みやすく、本実加工の嵌合を容易に外すことができ、床材の除去をより容易に行うことができる。
【００３２】
さらに、樹脂マットにより木質基材の裏面から防湿性を担保することで、基材として木質基材を使用した場合にも、湿気の影響による床材の変形を抑えることができる。
【００３３】
また、上記雄実の上面の俯角を下面の仰角よりも小さくして、雄実における樹脂マットの割合を木質繊維板よりも多くしているので、施工時の嵌合のために必要な雄実の強度と、床材除去時に雌実を破壊せずに嵌合を外すことができる程度の雄実及び雌実の硬さとを確保することができる。
【００３４】
また、樹脂マットが木質繊維板と同じ厚みでかつ比重が１．４〜２．０であるので、なじみ性のよい床材にすることができる。
【００３５】
また、塩化ビニル系樹脂に対する無機フィラーの割合を調整しているので、樹脂マットの成形後の寸法変化を小さくすることができるとともに、樹脂マットの成形を容易にすることができる。
【００３６】
上記第２の発明によれば、施工用接着剤を弾性接着剤としているので、接着剥離強度を弱くしても施工用接着剤が脆く硬い性質の硬化物とならず、床材の上に人が乗って荷重が連続的に作用して変形しても、施工用接着剤が壊れない。また、床材を除去する際に、床材と床下地との間に衝撃を加えなくても、床材を引っ張ることで施工用接着剤を破壊させることができる。
【００３７】
上記第３の発明によれば、雄実の基部上部に切り欠きが形成されているので、床材を除去する際に、床材を撓ませるように引っ張ると、この切り欠きから木質繊維板が上下に分割されて大きく床材が変形し、本実加工の嵌合を容易に外すことができるので、床材の除去をより容易に行うことができる。
【００３８】
また、木質繊維板が乾式成形により成形されているため、上記切り欠きから木質繊維板が分割しやすく、床材の除去をより一層容易に行うことができる。
【００３９】
上記第４の発明によれば、床材の層間剥離強度よりも弱い接着剥離強度の施工用接着剤を用いているので、床材を更新するために除去する際、床材は層間剥離せずに、床下地から施工用接着剤が破壊するので容易に床材を除去することができる。
【００４０】
また、床材の最上層に配置される樹脂化粧シートが表面平滑であるため、床材除去具の吸盤をしっかりと床材の表面に吸着させることができる。
【００４１】
上記第５の発明によれば、雄実の基部上部に切り欠きを形成しているので、床材除去具により床材を引っ張ると、雄実上部の切り欠きから木質繊維板が上下に分割されて床材が大きく変形し、本実加工の嵌合を容易に外すことができるので、床材の除去をより一層容易に行うことができる。
【００４２】
上記第６の発明によれば、床材除去具により任意の床材を除去した後、新しい更新用床材を貼着することで、全ての床材を更新せずに、隣り合う床材を傷つけることなく任意の床材のみを容易に更新することができる。
【００４３】
上記第７の発明によれば、更新用床材の雌実の下側部分を除去しているので、床材を更新する際に、更新用床材の雄実を隣り合う床材の雌実に嵌合させつつ、更新用床材を上から押圧するだけで床下地に貼着することができ、床材の更新を容易に行うことができる。
【発明を実施するための最良の形態】
【００４４】
以下、本発明の実施形態を図面に基づいて詳細に説明する。以下の好ましい実施形態の説明は、本質的に例示に過ぎない。
【００４５】
図１及び図２に示すように、本発明の実施形態に係る床材１は、樹脂化粧シート２と、基材３と、樹脂マット４とがそれぞれ順番に積層されて一体的に構成されている。この床材１は、複数枚が互いに隣り合うように連続し、施工用接着剤により床下地に貼着されている。
【００４６】
上記床材１は、適度な可撓性と表面平滑性とを有していればよい。この床材１は、マンション等、一定期間ごとに張り替える更新が予想される場所で使用される。
【００４７】
上記床材１は矩形形状であり、幅方向及び長手方向の長さが１００ｍｍ以上が好ましいが、大きさは特に限定されない。例えば、幅方向の長さが１００ｍｍであり、かつ長手方向の長さが９００ｍｍ〜１８００ｍｍである長方形状か、幅方向及び長手方向の長さがそれぞれ３００ｍｍ〜４５０ｍｍである正方形状であってもよい。
【００４８】
上記樹脂化粧シート２、基材３等の各構成要素を接着する接着剤は、一般的な貼着作業に使用されるものでよい。例えば、尿素メラミン系接着剤、酢酸ビニル系接着剤、ビニルウレタン系接着剤、エポキシ系接着剤、ウレタン系接着剤、ＰＵＲホットメルト接着剤等を使用することができる。
【００４９】
（樹脂化粧シート）
上記樹脂化粧シート２は表面平滑なものであればよく、例えば、樹脂含浸紙、オレフィン系樹脂シート、ポリエチレンテレフタレート樹脂シート等、またはこれらのシートを複合したもの、さらには、これらのシートの表面に塗装加工を施したシート状物を使用することができる。また、上記床材１に基材３として後述する木質繊維板を用いる場合には、基材３が湿気の影響を受けないように、防湿性があり、かつ強度に優れたシートを用いることが好ましい。
【００５０】
本発明の床材１は、吸盤を有する床材除去具を用いて床下地から剥がし取るようになっているので、樹脂化粧シート２は、床材除去具の吸盤が吸着できるような表面平滑性を有していればよい。
【００５１】
（基材）
上記基材３は、一般に床材に使用される可撓性を有する材料で、木質系の木質基材が使用できる。
【００５２】
木質基材としては、合板やパーティクルボード等を使用可能であるが、床材１の強度及び可撓性を考慮した場合、木質繊維板を用いることが好ましい。木質繊維板は、比重が０．４以上でかつ１．０以下であることが好ましく、さらには、乾式成形された中比重木質繊維板（ＭＤＦ）がより好ましい。この乾式成形により成形したＭＤＦは、湿式抄造により成形した低比重繊維板（インシュレーションボード）や高比重木質繊維板（ＨＤＦ）に比べて基材３の分割が発生しやすくなる。また、木質繊維板は、厚みが２．０ｍｍ以上でかつ３．０ｍｍ以下であるものが好ましい。厚みが２．０ｍｍ未満であれば、床材に使用した際に、表面側からの衝撃による凹み量が大きくなってしまい、厚みが３．０ｍｍよりも大きいものであれば、床材１の可撓性が劣ってしまうので好ましくない。
【００５３】
上記基材３が可撓性を有するためには、一般的に、裏面に一定間隔で溝加工が施される。しかし、この溝加工が施されると、基材３に湿気が導入されて、床材１の変形の原因となる。また、基材３に溝加工が施されると、床材１の表面側から溝部分が見えてしまい意匠的に好ましくない。さらに、床材１の幅方向及び長手方向両方の可撓性を得るために両方向に溝加工を施すと、より意匠的に好ましくない。さらに、床材１には、連続的な荷重や瞬間的な衝撃荷重などが作用するため強度が求められている。このため、本発明の床材１では、溝加工を施さなくても幅方向及び長手方向にそれぞれ可撓性を有する基材３を用いている。
【００５４】
（樹脂マット）
上記樹脂マット４は、上記基材３として木質基材を使用する場合に特に必要であり、裏面からの湿気の影響を受けない防湿効果のあるもので、かつ施工用接着剤との接着強度が担保できるものであればよい。例えば、塩化ビニル系樹脂、ウレタン系樹脂、ラテックス系樹脂、ポリエステル系樹脂等、また、これらの樹脂の変性物、あるいは各種再生プラスチック等を使用することができる。この樹脂マット４は、使用する施工用接着剤の接着適正を考慮して、その組み合わせにより選択して使用する。接着性と品質安定性の観点からは、塩化ビニル樹脂系樹脂マットが好適に用いられる。
【００５５】
また、所望の接着強度及び防湿性を確保するために、樹脂マットの表裏面に接着前処理が行われているものも用いることができる。この接着前処理が行われる樹脂マットとしては、例えば、ポリサンド紙、両面シーラー処理された樹脂マット等が用いられる。ポリサンド紙は、ポリエチレン、ポリプロピレン、ポリエステル等の１０μｍ〜１５０μｍ程度の薄いシートの表裏面に紙を熱溶着させたものである。
【００５６】
本発明の実施形態に係る樹脂マット４としては、比重１．４以上でかつ２．０以下となるように無機フィラーが充填され、基材３としての木質基材の厚みと略同じ厚みの塩化ビニル樹脂系樹脂マットが用いられる。これにより、なじみ性のよい床材１を提供することができる。この塩化ビニル樹脂系樹脂マットは、例えば、塩化ビニル樹脂１００重量に対して、１００〜１０００重量％程度の割合で無機フィラーが充填され、混練された後、カレンダー押出成形法によりシート成形される。充填される無機フィラーの量が少ないと成形後のシートの温度変化による寸法変化が大きくなり、多すぎるとシートの成形が困難になる。さらに、この樹脂マットは、床材１を剥がし取るために、容易に変形又は破断するように設計されることが好ましい。無機フィラーは、炭酸カルシウム、硫酸バリウム、シリカ、アルミナ、カーボンブラック、金属粉、金属酸化物等が使用される。
【００５７】
なお、基材３として木質基材を使用する場合には、基材３に湿気が導入されることにより床材１が変形することを防止するために、防湿効果のある樹脂マット４を用いる。
【００５８】
そして、上記床材１の四周端面には、床材１を厚み方向に３等分した中央部の上記基材３及び樹脂マット４の部分に雄実６及び雌実７を有する本実加工が施されている。すなわち、床材１の対向する幅方向端面に雄実６及び雌実７がそれぞれ形成され、対向する長手方向端面にも雄実６及び雌実７がそれぞれ形成されている。そして、隣り合う床材１の対向する端面に、雄実６及び雌実７が対向するように各床材１が配置され、表面が互いに面一となるように、隣り合う床材１の一方の床材１の雌実７に他方の床材の雄実６が嵌合され、床材１が床下地に敷き詰められている。
【００５９】
具体的には、基材３の下面８から基材３の厚み方向３分の１の位置と、樹脂マット４の上面９から樹脂マット４の厚み方向３分の１の位置との間に亘って本実加工が施され、同じ厚みの基材３と樹脂マット４とを合わせたものの厚み方向に３等分（Ｌ１＝Ｌ２＝Ｌ３）した中央部（Ｌ２）に本実加工が施されている。そして、雄実６の上部は基材３（木質基材）で構成され、上面の傾斜面６ａが、俯角ｒ１が１５度以上でかつ３０度以下となるように形成されている。一方、雄実６の下部は樹脂マット４で構成され、下面の傾斜面６ｂが、上面の傾斜面６ａの俯角ｒ１よりも１０度以上小さい角度の仰角ｒ２に形成されている。
【００６０】
例えば、図１の実施例１に示すように、俯角ｒ１＝１５°のとき仰角ｒ２＝５°とし、図２の実施例２に示すように、俯角ｒ１＝３０°のとき仰角ｒ２＝１５°となるように雄実６を形成すればよい。このように、上面の傾斜面６ａの俯角ｒ１が下面の傾斜面６ｂの仰角ｒ２よりも１０度以上大きい角度に形成されているので、雄実６は基材３（木質基材）の割合が樹脂マットよりも少なくなるように構成されている。
【００６１】
そして、雄実６の基部上側の基材３（木質基材）には、雄実６の突出方向と反対側に向かって凹陥するように切り欠き１０が下面を雄実６の上面に連続させるように形成されている。この切り欠き１０は、深さが０．１ｍｍ以上でかつ０．５ｍｍ以下となるように形成されている。なお、この切り欠き１０は必ずしも形成しなくてもよいが、床材１を除去する際、この切り欠き１０から基部３（木質基材）を上下に部分的に分割させ、床材１を大きく変形させることで、本実加工の嵌合を外し、床材１を容易に除去することができるようになっている。
【００６２】
（施工用接着剤）
上記床材１を床下地に貼着するための施工用接着剤は、床材１の各構成要素２〜４の層間剥離強度よりも弱い接着剥離強度を有する弾性接着剤である。この弾性接着剤は、例えば、硬化物がゴム状弾性を有する特殊シリコン樹脂や変性シリコン樹脂等を有する。また、この弾性接着剤が、ゴム弾性を有するとともに所望の接着強度を有するために、エポキシ樹脂、アクリル樹脂、ウレタン樹脂等を追加配合してもよい。弾性接着剤は、例えば、ウレタン系接着剤、エポキシ系接着剤等が配合されたシリコン系接着剤や、これらの変性物等を使用することができる。そして、この施工用接着剤が、一般的な接着剤のような高強度の接着剥離強度よりも弱い接着剥離強度となるように、無機フィラー等を充填して接着剥離強度を調整することが好ましい。この施工用接着剤の主成分１００重量に対して、５０〜１０００重量％程度のフィラーを添加し、このフィラーの一部を中空の無機フィラーに置き換えてもよい。
【００６３】
床材１は、その上に人が乗るので、連続的な荷重が長期にわたって作用し、この荷重が作用するたびに床材１は変形する。接着剥離強度を弱くした施工用接着剤にウレタン系接着剤やエポキシ系接着剤を用いると、硬く脆い性質の硬化物となるため、床材１を長期に使用した場合、連続的に変形すると、施工用接着剤がこわれてしまう虞がある。本発明のように可撓性を有している床材１に用いる施工用接着剤は、フィラーを充填することにより、各構成要素２〜４の層間剥離強度よりも弱い接着剥離強度を有するように調整し、かつゴム弾性を有する弾性接着剤とすることが最も好ましい。
【００６４】
（除去方法）
次に、複数枚の床材１のうち任意の床材１を除去する方法について説明する。上記床材１を除去するために用いる床材除去具は、例えば、ガラスの施工や移動に用いるような吸盤を２つ有するものである。この床材除去具の吸盤を任意の床材１の中央部に吸着させる。
【００６５】
そして、任意の床材１の雌実７側を持ち上げるようにして隣り合う床材１を押さえながら床材除去具を引っ張ることで、任意の床材１を長手方向及び幅方向に撓ませ、かつ床材１の雄実６の切り欠き１０から基材３（木質基材）を上下に部分的に分割させ、床材１を大きく変形させて任意の床材１の雌実７と隣り合う床材１の雄実６との嵌合を外す。そうして、施工用接着剤を破壊させて床下地から剥ぎ取る。最後に、任意の床材１の雄実６と隣り合う床材１の雌実７との嵌合が外れるように任意の床材１を横にずらして除去する。
【００６６】
また、床材１に本実加工が施されていない場合や、切り欠き１０が形成されていない場合も同様に、任意の床材１に床材除去具の吸盤を吸着させて引っ張り、任意の床材１を撓ませつつ施工用接着剤を破壊させて床下地から剥ぎ取って除去する。
【００６７】
（更新方法）
次に、上記除去方法により任意の床材１を除去した後、新たな床材１を床下地に貼着して更新する方法について説明する。
【００６８】
まず、任意の床材１が除去された露出床下地から施工用接着剤をスクレパーなどを用いて除去し、露出床下地に新たな施工用接着剤を塗布する。施工用接着剤は、露出床下地全面に塗布してもよいし、長手方向又は幅方向に線状に塗布してもよい。そして、更新用床材１の幅方向及び長手方向両方の雌実７の下側部分を除去する。
【００６９】
次に、更新用床材１の雄実６の角部を露出床下地に挿入し、露出床下地に隣り合う床材１の雌実と嵌合させ、先に長手方向の雄実６を隣り合う床材の長手方向の雌実７に嵌合させる。その後、更新用床材１の幅方向の雄実６を隣り合う床材の雌実７に嵌合させ、隣り合う床材１の表面が互いに面一となるように、更新用床材１を上から十分に押圧して床下地に貼着する。
【００７０】
また、床材１に本実加工が施されていない場合は任意の床材１を除去し、露出床下地に新たな施工用接着剤を塗布した後、新たな更新用床材１を露出床下地に位置合わせして上から押圧して貼着する。
【００７１】
（実施形態の効果）
したがって、本実施形態の床材の施工構造においては、施工用接着剤の接着剥離強度を床材１の層間剥離強度よりも弱くしているので、床材１を更新するために除去する際、床材１が層間剥離せずに、施工用接着剤が破壊するので床下地上に床材の破片を残すことなく容易に床下地から床材１を除去することができる。
【００７２】
また、施工用接着剤は、接着力が弱いため、容易に床下地から除去することができる。
【００７３】
そして、この床材１を除去した床下地に新たな更新用床材１を直接貼着して更新するので、繰り返し更新しても容易に床材１を除去することができる。
【００７４】
また、床材１を樹脂化粧シート２、基材３（木質基材）及び樹脂マット４を順に積層して構成し、樹脂マット４により基材３の裏面から防湿性を担保することで、基材３として木質基材を使用したことによる湿気の影響を抑えることができる。
【００７５】
また、同じ厚みの基材３（木質繊維板）と樹脂マット４とを合わせたものの厚み方向に３等分した中央部Ｌ２に本実加工を施しているので、傾斜する実を有し、かつ薄い床材１を安定して生産することができる。
【００７６】
また、雄実６の上面６ａの俯角ｒ１を下面６ｂの仰角ｒ２よりも小さくして、雄実６における樹脂マット４の割合を基材３よりも多くしているので、施工時の嵌合のために必要な雄実６の強度と、床材１除去時に雌実７を破壊せずに嵌合を外すことができる程度の雄実６及び雌実７の硬さとを確保することができる。
【００７７】
また、基材３（木質繊維板）が可撓性を有しかつ床材１の厚みが薄いので、床材１が撓みやすく、本実加工の嵌合を容易に外すことができ、床材１の除去をより一層容易に行うことができる。
【００７８】
また、樹脂マット４が基材３（木質繊維板）と同じ厚みでかつ比重が１．４以上でかつ２．０以下であるので、なじみ性のよい床材１にすることができる。
【００７９】
また、樹脂マット４には塩化ビニル系樹脂に対する無機フィラーの割合を調整して添加しているので、樹脂マット４の成形後の寸法変化を小さくすることができるとともに、樹脂マット４の成形を容易にすることができる。
【００８０】
また、雄実６の基部上部に切り欠き１０が形成されているので、床材１を除去する際に、床材１を撓ませるように引っ張ると、この切り欠き１０から基材３（木質繊維板）が上下に分割されて大きく床材１が変形し、本実加工の嵌合を容易に外すことができるので、床材１の除去をより容易に行うことができる。
【００８１】
また、基材３としての木質繊維板が乾式成形により成形されているため、切り欠き１０から木質繊維板が分割しやすく、床材１の除去をより一層容易に行うことができる。
【００８２】
また、施工用接着剤を弾性接着剤としているので、接着剥離強度を弱くしても施工用接着剤が脆く硬い性質の硬化物とならず、床材１の上に人が乗って荷重が連続的に作用して床材１が変形しても、施工用接着剤が壊れない。また、床材１を除去する際に、床材１と床下地との間に衝撃を加えなくても施工用接着剤を破壊させて床材１を除去することができる。
【００８３】
また、床材１の最上層に配置される樹脂化粧シート２が表面平滑であるため、床材除去具の吸盤をしっかりと床材１の表面に吸着させることができ、容易に床材１を除去することができる。
【００８４】
また、更新用床材１の雌実７の下側部分を除去するので、床材１を更新する際に、更新用床材１の雄実６を隣り合う床材１の雌実７に嵌合させつつ、更新用床材１を上から押圧するだけで床下地に貼着することができ、床材１の更新を容易に行うことができる。
【産業上の利用可能性】
【００８５】
以上説明したように、本発明は、床材の施工構造、床材の除去方法及び更新方法について有用である。
【図面の簡単な説明】
【００８６】
【図１】本発明の実施形態に係る床材の実施例１を示す断面図である。
【図２】実施例２を示す断面図である。
【符号の説明】
【００８７】
１    床材
２    樹脂化粧シート
３    基材
４    樹脂マット
６    雄実
６ａ  上面の傾斜面
６ｂ  下面の傾斜面
７    雌実
１０  切り欠き
【図１】
0005430057.tif 000002
【図２】
0005430057.tif 000003